(57)【要約】【課題】  カップ埋め込み型ヒンジ装置のヒンジ本体にアーム部材を介して連結されるカップ部材の凹部を深くしたり、位置調節機構の部品の形状を制約したりすることなく、筐体に対する扉の位置を調節しつつ筐体等と扉等との間に取り付けること。【解決手段】  カップ部材２０とアーム部材４０との間の位置調節機構５０は、カップ部材２０の凹部２０Ｒ内に隙間５６を介して重合するＵ字形位置調節ホルダー５２とこの位置調節ホルダー５２とカップ部材２０のフランジ２０Ｆとの間に設けられてカップ部材２０を位置調節ホルダー５２に対して位置設定するカム部材５４とを含み、カム部材５２は、位置調節ホルダー５２の円形孔５２ＭＨに回転自在に嵌め込まれるカム円板５４Ｄとカップ部材２０のフランジ２０Ｆの長孔２０ＦＨに係入する偏心ピン５４Ｐとを有し、カム円板５４Ｄの回動によってカップ部材２０を位置設定する。【選択図】図１
2010261279.tif 000002
【特許請求の範囲】
【請求項１】
相互に開閉自在に連結されるべき２つの物体のうち一方の物体に取付けられるカップ部材と、前記カップ部材に枢支ピンによって枢支されたアーム部材と、前記アーム部材に回動自在に連結され他方の物体に取付けられるヒンジ本体と、前記カップ部材を前記ヒンジ本体に対して位置調節する位置調節機構とを備え、前記位置調節機構は、前記カップ部材の凹部内に隙間を介して位置調節することができるように前記凹部に重合するＵ字形位置調節ホルダーと、前記Ｕ字形位置調節ホルダーと前記カップ部材とを相対的に所定位置に設定するカップ位置設定手段とを含み、前記枢支ピンは、前記Ｕ字形位置調節ホルダーを貫通し、前記カップ部材を前記Ｕ字形位置調節ホルダーに対して適宜の位置に設定して前記カップ部材を前記位置調節ホルダーに保持する位置調節機能付きカップ埋め込み式ヒンジ装置において、前記位置調節機構は、前記カップ部材に設けられ前記カップ部材を前記一方の物体に固定すべきフランジと前記Ｕ字形位置調節ホルダーに設けられ前記カップ部材の前記フランジに対応する取付け片とを有し、前記カップ位置設定手段は、前記カップ部材のフランジと前記位置調節ホルダーの取付け片との間に配置されていることを特徴とする位置調節機構付きカップ埋め込み式ヒンジ装置。
【請求項２】
請求項１に記載の位置調節機能付きカップ埋め込み式ヒンジ装置であって、前記位置調節機構は、１つのＵ字形位置調節ホルダーを有し、前記カップ部材を前記ヒンジ本体に対して１つの位置調節方向に位置調節するようにしたことを特徴とする位置調節機構付きカップ埋め込み式ヒンジ装置。
【請求項３】
請求項１に記載の位置調節機能付きカップ埋め込み式ヒンジ装置であって、前記位置調節機構は、２つのＵ字形位置調節ホルダーと、各Ｕ字形位置調節ホルダーにそれぞれ相応して設けられる２つのカップ位置設定手段とを有し、前記カップ部材を前記ヒンジ本体に対して２つの直交する位置調節方向に位置調節するようにしたことを特徴とする位置調節機構付きカップ埋め込み式ヒンジ装置。
【請求項４】
請求項１乃至３のいずれかに記載の位置調節機能付きカップ埋め込み式ヒンジ装置であって、上記カップ位置設定手段は、カム部材を備えて前記ヒンジ本体に対して前記カップ部材を適宜の位置に設定して前記カップ部材を前記位置調節ホルダーに保持することを特徴とする位置調節機構付きカップ埋め込み式ヒンジ装置。
【請求項５】
請求項４に記載の位置調節機能付きカップ埋め込み式ヒンジ装置であって、前記カム部材のカム円板は、前記Ｕ字形位置調節ホルダーの取付け片に形成された円形孔に回転自在に嵌め込まれ、前記カム部材の偏心ピンは、前記カップ部材の前記フランジに設けられた長孔に係入していることを特徴とする位置調節機能付きカップ埋め込み式ヒンジ装置。
【請求項６】
請求項１乃至３のいずれかに記載の位置調節機能付きカップ埋め込み式ヒンジ装置であって、前記カップ位置設定手段は、前記カップ部材のフランジに設けられたねじ孔と前記位置調節ホルダーの取付け片に設けられた長孔と前記取付け片の長孔を介して前記カップ部材のフランジのねじ孔にねじ込まれる止めねじとから成っていることを特徴とする位置調節機能付きカップ埋め込み式ヒンジ装置。
【発明の詳細な説明】
【技術分野】
【０００１】
本発明は、遊戯具や家具等の如き扉を有する種々の収容物体の筐体と扉との如き２つの物体を相互に開閉自在に連結するヒンジ装置に関し、特に扉の如き可動物体の内面に取付けられるカップ部材と筐体の如き固定物体の内壁面に取り付けられるヒンジ本体との間を相互に位置調節しながら連結することができる位置調節機能付きカップ埋め込み式ヒンジ装置の改良に関するものである。
【背景技術】
【０００２】
一般に、この種のヒンジ装置は、扉に取付けられるカップ部材と、このカップ部材に折畳みリンク部材（又はアーム部材）を介して取付けられるヒンジ本体とから成り、ヒンジ本体は、家具等の収容物体の筐体の内壁面に取付けられ、扉の閉じ状態ではリンク部材がカップ部材内に埋め込まれるようになっている。
【０００３】
この種のヒンジ装置を収容物体の筐体と扉との間に取り付ける場合に、ヒンジ本体が取り付けられた筐体とカップ部材が取り付けられた扉とが適正に位置合わせされるようにヒンジ本体とカップ部材とを連結することが要求され、この要求を満たす従来技術が特許文献１に記載されている。
【０００４】
この特許文献１に記載されたヒンジ装置は、収容物体の筐体と扉とを位置合わせしつつヒンジ本体とカップ部材とを連結するために、ヒンジ本体（本体部５）に一体的に連結されてカップ部材（カップ部６）の凹部内に隙間を介して位置調節することができるように重合された位置調節ホルダー（連接部２７）と、カップ部材の底部に取り付けられ位置調節ホルダーの長孔（長孔２９）に係合する多角形状の円板（カム部２６）に偏心して設けられ位置調節ホルダー（連接部２７）に回転自在に挿通された偏心ピン（軸部２４）を有するカム（カム２３）とから成る位置調節機構を有する。
【０００５】
しかし、この先行技術による位置調節機能付きカップ埋め込み式ヒンジ装置は、位置調節するための機構がカップ部材の凹部内にあるため、この位置調節機構を構成する部品（特許文献１のカム２３）がリンク部材と干渉するのを避けるために、この部品がカップ部材の凹部に重合する位置調節ホルダー（連接部２７）の上面から突出することがないように配置しなければならない。このため、カムの形状が制約される上に、扉側を前後方向（収容物体の開口面に直交する方向）と左右方向（収容物体の幅方向）との両方に位置調節することができるようにしようとすると、カップ部材の凹部内の狭い空間では組み立てが困難となる欠点があった。なお、カップ部材の凹部を深くすることによってアーム部材との干渉を回避することができるが、これは、カップ部材の厚みを大きくする必要があり、好ましくない。
【先行技術文献】
【特許文献】
【０００６】
【特許文献１】特開２００７−３２１５９２号公報
【発明の概要】
【発明が解決しようとする課題】
【０００７】
本発明が解決しようとする課題は、カップ部材の凹部を深くすることなく、またカムの形状を制約することなく、大きな自由度で収容物体に対する扉等の可動物体を位置調節しつつ２つの物体の間に取り付けることができる位置調節機能付きカップ埋め込み式ヒンジ装置を提供することにある．
【課題を解決するための手段】
【０００８】
本発明の基本的な課題解決手段は、相互に開閉自在に連結されるべき２つの物体のうち一方の物体に取付けられるカップ部材と、前記カップ部材に枢支ピンによって枢支されたアーム部材と、前記アーム部材に回動自在に連結され他方の物体に取付けられるヒンジ本体と、前記カップ部材を前記ヒンジ本体に対して位置調節する位置調節機構とを備え、前記位置調節機構は、前記カップ部材の凹部内に隙間を介して位置調節することができるように前記凹部に重合するＵ字形位置調節ホルダーと、前記Ｕ字形位置調節ホルダーと前記カップ部材とを相対的に所定位置に設定するカップ位置設定手段とを含み、前記枢支ピンは、前記Ｕ字形位置調節ホルダーを貫通し、前記カップ部材を前記Ｕ字形位置調節ホルダーに対して適宜の位置に設定して前記カップ部材を前記位置調節ホルダーに保持する位置調節機能付きカップ埋め込み式ヒンジ装置において、前記位置調節機構は、前記カップ部材に設けられ前記カップ部材を前記一方の物体に固定すべきフランジと前記Ｕ字形位置調節ホルダーに設けられ前記カップ部材の前記フランジに対応する取付け片とを有し、前記カップ位置設定手段は、前記カップ部材のフランジと前記位置調節ホルダーの取付け片との間に配置されていることを特徴とする位置調節機構付きカップ埋め込み式ヒンジ装置を提供することにある。
【０００９】
本発明の基本的な課題解決手段において、前記位置調節機構は、１つのＵ字形位置調節ホルダーを有し、前記カップ部材を前記ヒンジ本体に対して１つの位置調節方向に位置調節するようにしてもよいし、前記位置調節機構は、２つのＵ字形位置調節ホルダーと、各Ｕ字形位置調節ホルダーにそれぞれ相応して設けられる２つのカップ位置設定手段とを有し、前記カップ部材を前記ヒンジ本体に対して２つの直交する位置調節方向に位置調節するようにしてもよい。
【００１０】
本発明の課題解決手段において、カップ位置設定手段は、カム部材を備えて前記ヒンジ本体に対して前記カップ部材を適宜の位置に設定して前記カップ部材を前記位置調節ホルダーに保持することができ、この場合、前記カム部材のカム円板は、前記Ｕ字形位置調節ホルダーの取付け片に形成された円形孔に回転自在に嵌め込まれ、前記カム部材の偏心ピンは、前記カップ部材の前記フランジに設けられた長孔に係入している形態とすることができる。
【００１１】
本発明の課題解決手段において、カム部材を備えたカップ位置設定手段に代えて、前記カップ位置設定手段は、前記カップ部材のフランジに設けられたねじ孔と前記位置調節ホルダーの取付け片に設けられた長孔と前記取付け片の長孔を介して前記カップ部材のフランジのねじ孔にねじ込まれる止めねじとから成っている形態とすることができる。
【発明の効果】
【００１２】
本発明によれば、位置調節機構は、カップ部材の底部ではなく、カップ部材のフランジに対応して相対する位置に配置されるので、収容物体の閉位置で折畳まれてカップ部材に埋め込まれるアーム部材がカム部材に干渉することがなく、カップ部材を深くしなくてもアーム部材をカップ部材の内部に確実に埋め込むことができ、従ってカム部材の形状は何ら制約を受けることなく、自由に設計することができる。
【００１３】
また、位置調節機構は、カップ部材の凹部の狭い空間内ではなく、凹部外のフランジに対応して設けられるので、広い空間で容易に組み立てることができ、組み立ての作業性を向上することができる。
【図面の簡単な説明】
【００１４】
【図１】本発明の第１の実施の形態による位置調節機能付きカップ埋め込み式ヒンジ装置の全体の分解斜視図である。
【図２】図１の位置調節機能付きカップ埋め込み式ヒンジ装置をカップ部材側の上方からの斜視図である。
【図３】図１の位置調節機能付きカップ埋め込み式ヒンジ装置の下方からの斜視図である。
【図４】図１の位置調節機能付きカップ埋め込み式ヒンジ装置のアーム側からの斜視図である。
【図５】図１の位置調節機能付きカップ埋め込み式ヒンジ装置の側面を示し、同図（Ａ）は右側面図、同図（Ｂ）は、左側面図である。
【図６】図１の位置調節機能付きカップ埋め込み式ヒンジ装置を半切りした状態を示し、同図（Ａ）は左側の半部の斜視図、同図（Ｂ）は、右側の半部の斜視図である。
【図７】図１の位置調節機能付きカップ埋め込み式ヒンジ装置のカップ部材を省略して示す位置調節機構の斜視図である。
【図８】図５の位置調節機構の正面図である。
【図９】図１の位置調節機能付きカップ埋め込み式ヒンジ装置の位置調節状態を示し、同図（Ａ）は、カップ部材が図示しないヒンジ本体に対して最も左側の位置に設定した状態の上面図、同図（Ｂ）は、カップ部材が図示しないヒンジ本体に対してその幅方向の中間位置に設定した状態の上面図、同図（Ｃ）は、カップ部材が図示しないヒンジ本体に対して最も右側の位置に設定した状態の上面図である。
【図１０】本発明の第１の実施の形態による位置調節機能付きカップ埋め込み式ヒンジ装置の変形例の全体の分解斜視図である。
【図１１】本発明の第２の実施の形態による位置調節機能付きカップ埋め込み式ヒンジ装置の全体の分解斜視図である。
【図１２】図２の位置調節機能付きカップ埋め込み式ヒンジ装置をカップ部材側の上方からの斜視図である。
【図１３】図２の位置調節機能付きカップ埋め込み式ヒンジ装置の下方からの斜視図である。
【図１４】図２の位置調節機能付きカップ埋め込み式ヒンジ装置のアーム側からの斜視図である。
【図１５】図２の位置調節機能付きカップ埋め込み式ヒンジ装置の側面を示し、同図（Ａ）は右側面図、同図（Ｂ）は、左側面図である。
【図１６】図２の位置調節機能付きカップ埋め込み式ヒンジ装置を半切りした状態を示し、同図（Ａ）は左側の半部の斜視図、同図（Ｂ）は、右側の半部の斜視図である。
【図１７】図２の位置調節機能付きカップ埋め込み式ヒンジ装置のカップ部材を省略して示す位置調節機構の斜視図である。
【図１８】図１７の位置調節機構の正面図である。
【図１９】図２の位置調節機能付きカップ埋め込み式ヒンジ装置の位置調節状態を示し、同図（Ａ）は、カップ部材が図示しないヒンジ本体に対して最も左側の位置に設定した状態の上面図、同図（Ｂ）は、カップ部材が図示しないヒンジ本体に対してその幅方向の中間位置に設定した状態の上面図、同図（Ｃ）は、カップ部材が図示しないヒンジ本体に対して最も右側の位置に設定した状態の上面図、同図（Ｄ）は、カップ部材が図示しないヒンジ本体に対して最も離れた位置に設定した状態の上面図、同図（Ｂ）は、カップ部材が図示しないヒンジ本体に対してその縦方向の中間位置に設定した状態の上面図、同図（Ｃ）は、カップ部材が図示しないヒンジ本体に対して最も接近した位置に設定した状態の上面図である。
【図２０】本発明の第１及び第２の実施の形態に用いられるカム部材を拡大して示し、同図（Ａ）乃至（Ｄ）は、このカム部材の斜視図、上面図、側面図及び下面図である。
【図２１】本発明の第３の実施の形態による位置調節機能付きカップ埋め込み式ヒンジ装置の全体の分解斜視図である。
【図２２】図１乃至図９に示すヒンジ装置の使用状態の斜視図である。
【発明を実施するための形態】
【００１５】
本発明の第１の実施の形態を図１乃至図９を参照して詳細に述べると、本発明の位置調節機能付きカップ埋め込み式ヒンジ装置１０の全体の分解状態が図１に示されており、ヒンジ本体を部分的に表した組み立て状態が図２乃至図６に示されている。
【００１６】
本発明の第１の実施の形態の位置調節機能付きカップ埋め込み式ヒンジ装置１０は、相互に開閉自在に連結されるべき図示しない２つの物体、例えば、キャビネットの固定物体（筐体）と可動物体（扉）のうち、一方の可動物体（扉）の内壁に埋め込み状態で取付けられるべきカップ部材２０と、このカップ部材２０にアーム部材４０を介して回動自在に取付けられ他方の固定物体（筐体）に取付けられるべきヒンジ本体３０とから成り、またカップ部材２０をヒンジ本体３０に対して位置調節することできるようにアーム部材４０とカップ部材２０との間に設けられた位置調節機構５０を備えている。
【００１７】
カップ部材２０は、図１乃至図６に示すように、可動物体（扉）の内壁に埋め込まれる略矩形状の皿の形態のカップ本体２０Ｂを有し、このカップ本体２０Ｂの周りには可動物体（扉）の内壁面に固定すべきフランジ２０Ｆを有する。図１乃至図６から解るように、フランジ２０Ｆは、高い上面を有する第１のフランジ半部２０Ｆ１と低い上面を有する第２のフランジ半部２０Ｆ２とを有し、第２のフランジ半部２０Ｆ２は、第１のフランジ半部２０Ｆ１側に更に上面が低くなっているへこみ２０Ｆ２Ｒを有する。なお、図中、符号２０Ｒは、カップ部材２０の凹部を示し、また符号２２Ｒ、２２Ｌは、第１のフランジ半部２０Ｆ１の両側に設けられてカップ部材２０を可動物体（扉）に取り付けるねじが貫通する２つのねじ貫通孔を示す。
【００１８】
ヒンジ本体３０は、図示の形態では、図１に示すように、縦長で断面略逆Ｕ字形の形態を有し、このヒンジ本体３０は、その側壁の中間に固定物体（筐体）の内壁に固定すべき１対のフランジ３０ＦＲ、３０ＦＬを有する。このフランジは、ヒンジ本体３０に着脱自在又は一体に固定されている。図中、符号３２Ｒ、３２Ｌは、１対のフランジ３０ＦＬ、３０ＦＲにそれぞれ設けられてヒンジ本体３０を固定物体（キャビネットの筐体）に取り付けるねじが貫通する２つのねじ貫通孔である。
【００１９】
アーム部材４０は、２つのリンクアームから成っており、その一端は、図１に示すように、枢支ピン４２によってヒンジ本体３０のカップ部材２０側の端部に枢支され、他端は、アーム部材４０の２つのリンクアームに設けられた２対のピン貫通孔４４（図面では一方のリンクアームのピン貫通孔のみが示されている）と後に述べる位置調節機構５０の位置調節ホルダー５２の前後２対のピン貫通孔５２Ｈとカップ部材２０の側壁に設けられた前後２つのピン貫通孔２４を貫通する２本一体の枢支ピン４６によってカップ部材２０に枢支されている。
【００２０】
このヒンジ装置は、キャビネットの可動物体（扉）が固定物体（筐体）に対して開いた状態では、図２乃至図６に示すように、カップ部材２０とアーム部材４０とヒンジ本体３０とが展開した状態となり、またキャビネットの可動物体（扉）と固定物体（筐体）に対して閉じた状態ではアーム部材４０がカップ部材２０の凹部２０Ｒ内に埋め込まれながら折畳まれるが、その状態は図示していない。なお、このヒンジ装置１０の使用状態は図２２に示されているが、この図ではヒンジ装置１０は、展開状態で示されている
【００２１】
位置調節機構５０は、カップ部材２０の凹部２０Ｒ内に隙間５６を介して位置調節することができるように凹部２０Ｒに重合する略Ｕ字形位置調節ホルダー５２とこの略Ｕ字形位置調節ホルダー５２とカップ部材２０との間に設けられてカップ部材２０を位置調節ホルダー５２に対して位置変位するカム部材５４とから成っている。
【００２２】
本発明の第１の実施の形態によるヒンジ装置１０の位置調節機構５０は、１つのＵ字形位置調節ホルダー５２と１つのカム部材５４とを有し、この１つのＵ字形位置調節ホルダー５２に設けられカップ部材２０の第２のフランジ半部２０Ｆ２のへこみ２０Ｆ２Ｒに係入してこの第２のフランジ半部２０Ｆ２に対応してこのへこみ２０Ｆ２Ｒ内を摺動自在に重合する取付け片５２Ｍを有し、カム部材５４は、カップ部材２０の第２のフランジ半部２０Ｆ２と１つのＵ字形位置調節ホルダー５２の取付け片５２Ｍとの間に配置されている。
【００２３】
カム部材５４は、図１及び図９の左側拡大部分及び図２０に拡大して示すように、Ｕ字形位置調節ホルダー５２の取付け片５２Ｍに設けられた円形孔５２ＭＨに回転自在に嵌入されたカム円板５４Ｄとカップ部材２０の第２のフランジ半部２０Ｆ２のへこみ２０Ｆ２に設けられた長孔２０ＦＨ（ヒンジ本体３０に対して前後する方向に長い孔）に係入する偏心ピン５４Ｐとから成っている。カム円板５４Ｄは、カム部材５４を回動ための十字ドライバーが係入する十字溝５４Ｇを有する。
【００２４】
次に、本発明の第１の実施の形態による位置調節機能付きカップ埋め込み式ヒンジ装置１０の取り付け操作を位置調節とともに図９を参照しながら説明する。
【００２５】
まず、ヒンジ装置１０のヒンジ本体３０を収容物体であるキャビネットの固定物体（筐体）の内壁面に取り付け、カップ部材２０をキャビネットの可動物体（扉）の内壁面に取り付ける。これらの取り付けは、ヒンジ本体３０のねじ貫通孔３２Ｒ、３２Ｌにねじを貫通し、カップ部材２０のねじ貫通孔２２Ｒ、２２Ｌにねじを貫通し、これらのねじを固定物体（筐体）の内壁面、可動物体（扉）の内壁面にそれぞれねじ込んで行われる。図２１は、このヒンジ装置１０の使用状態を示し、この図２１の形態では、ヒンジ装置１０は、筐体１の一方の縦端縁に横開きの扉２を開閉自在に取り付けるのに使用されている。なお、図２１では明瞭ではないが、ヒンジ装置１０のカップ部材２０は、扉２の内面に設けられた略円形の凹所２Ｒに係入し、第１のフランジ半部２０Ｆ１が扉２の内面に係合し、第２のフランジ半部Ｆ２は、この凹所２Ｒ内に入り込んでいる。
【００２６】
次に、カム部材５４の十字溝５４Ｇに十字ドライバーを差し込んでカム部材５４を時計方向又は反時計方向に回動してカップ部材２０を位置調整ホルダー５２に対して左右に変位してカップ部材２０の位置を設定する。
【００２７】
更に詳細に説明すると、カム部材５４の偏心ピン５４Ｐが図９（Ａ）の一点鎖線で示す位置から時計方向に回動すると、偏心ピン５４Ｐは、カップ部材２０の第２のフランジ半部２０Ｆ２の長孔２０ＦＨ内を上方に中間位置に向けて移動しつつカム部材５４の中心位置を基準にカップ部材２０を相対的に図９の右方（図２１の取付位置では下方）に変位するので、このカップ部材２０に取り付けられている可動物体（扉）は、ヒンジ本体３０が取り付けられている固定物体（筐体）に対して図９の右方向(図２１の下方向)に位置調節される。
【００２８】
また、図９（Ａ）の位置からカム部材５４を更に時計方向に回動すると、図９（Ｂ）に示すように、偏心ピン５４Ｐがカップ部材２０の第２のフランジ半部２０Ｆ２の長孔２０ＦＨ内を下方に向けて移動しつつカム部材５４の中心位置を基準にカップ部材２０を相対的に図９の左方(図２１の取付位置では上方)に変位するので、このカップ部材２０に取り付けられている可動物体（扉）は、ヒンジ本体３０が取り付けられている固定物体（筐体)に対して図９の左方向（図２１の上方向）に位置調節される。
【００２９】
また、図９（Ｂ）の位置からカム部材５４を更に時計方向に回動すると、図９（Ｃ）に示すように、偏心ピン５４Ｐがカップ部材２０の第２のフランジ半部２０Ｆ２の長孔２０ＦＨ内を上方に向けて中間位置まで移動しつつカム部材５４の中心位置を基準にカップ部材２０を相対的に更に図９の左方（図２１の上方）に変位するので、このカップ部材２０に取り付けられている可動物体（扉）は、ヒンジ本体３０が取り付けられている固定物体（筐体）に対して更に図９の左方向（図２１の上方向）に位置調節される。
【００３０】
このように、カム部材５４を位置調節ホルダー５２の円形孔５２ＭＨ内で回動することによってカップ部材２０を位置調節ホルダー５２に対して左右に変位してカップ部材２０に取り付けられている可動物体（扉）を固定物体（筐体）に対して左右に位置調節することができる。なお、図９では、３つの調節位置のみを述べたが、これらの位置の適宜の位置に設定することができることはもちろんである。また、図示していないが、ヒンジ本体３０に対してカップ部材２０が位置調節された後、適宜の手段でカップ部材２０を位置調節ホルダー５２に固定する。
【００３１】
本発明の第１の実施の形態による位置調節機能付きカップ埋め込み式ヒンジ装置１０の変形例が図１０に示されており、この変形例では、位置調節ホルダー５２が前後２対ではなく１対だけのピン貫通孔５２Ｈを有し、２本一体の枢支ピン４２の一方のピン部分のみがこの１対のピン貫通孔５２Ｈを貫通していることを除いて図１乃至図９の実施の形態と同じである。
【００３２】
本発明の第２の実施の形態による位置調節機能付きカップ埋め込み式ヒンジ装置１０が図１１乃至図１９に示されている。第１の実施の形態では、カップ部材２０は、ヒンジ本体３０に対して図の左右方向にのみ位置調節されるが、第２の実施の形態による位置調節機能付きカップ埋め込み式ヒンジ装置１０は、ヒンジ本体３０に対して更に前後方向にも位置調節するように構成された位置調節機構５０を備えている点で第１の実施の形態による位置調節機能付きカップ埋め込み式ヒンジ装置１０とは異なり、以下にこの位置調節機構５０を詳細に説明する。
【００３３】
第２の実施の形態による位置調節機能付きカップ埋め込み式ヒンジ装置１０の位置調節機構５０は、第１の実施の形態によるヒンジ装置１０の位置調節機構５０の位置調節ホルダー５２とカップ部材２０との間に更に他の第２の位置調節ホルダー１５２とこの第２の位置調節ホルダー１５２とカップ部材２０の第２のフランジ半部２０Ｆ２との間に設けられた更に他の第２のカム部材１５４とを備えていることを除いて第１の実施の形態の位置調節機能付きカップ埋め込み式ヒンジ装置１０と同じである。
【００３４】
第２の位置調節ホルダー１５２は、第１の位置調節ホルダー５２の取付け片５２Ｍとは反対側に延びる取付け片１５２Ｍを有し、この取付け片１５２Ｍは、カップ部材２０の第２のフランジ半部２０Ｆ２のへこみ２０Ｆ２Ｒとは反対側の部分に設けられたへこみ２０Ｆ２Ｒ２に摺動自在に係入している。
【００３５】
第２のカム部材１５４は、図１１及び図１９の左側拡大部分に示すように、Ｕ字形位置調節ホルダー１５２の取付け片１５２Ｍに設けられた円形孔１５２ＭＨに回転自在に嵌め込まれたカム円板１５４Ｄとカップ部材２０の第２のフランジ半部２０Ｆ２のへこみ２０Ｆ２Ｒ２に設けられた長孔２０ＦＨ２（左右の横方向に長い孔）に係入する偏心ピン１５４Ｐとから成っている。カム円板１５４Ｄは、カム部材１５４を回動ための十字ドライバーが係入する十字溝１５４Ｇを有する。
【００３６】
次に、本発明の第２の実施の形態による位置調節機能付きカップ埋め込み式ヒンジ装置１０の取り付け操作を位置調節とともに図１９を参照しながら説明する。
【００３７】
第１の実施の形態による位置調節機能付きカップ埋め込み式ヒンジ装置１０と同様にして、ヒンジ装置１０のヒンジ本体３０を収容物体であるキャビネットの固定物体（筐体）の内壁にねじで取り付け、カップ部材２０をキャビネットの可動物体（扉）の内面にねじで取り付ける。
【００３８】
次に、カム部材５４の十字溝５４Ｇに十字ドライバーを差し込んでカム部材５４を時計方向又は反時計方向に回動してカップ部材２０を位置調整ホルダー５２に対して図１９の左右に変位してカップ部材２０の位置を設定するが、この調節は、図１９（Ａ）乃至（Ｃ）に示すように、第１の実施の形態による位置調節機能付きカップ埋め込み式ヒンジ装置１０（図９（Ａ）乃至（Ｃ）参照）と同じであるので、その詳細な説明を省略する。
【００３９】
また、カム部材１５４の十字溝１５４Ｇに十字ドライバーを差し込んでカム部材１５４を時計方向又は反時計方向に回動してカップ部材２０を位置調整ホルダー１５２に対して図１９の前後に変位してカップ部材２０の位置を設定する。
【００４０】
更に詳細に説明すると、カム部材１５４の偏心ピン１５４Ｐが図１９（Ｄ）の一点鎖線で示す位置から時計方向に回動すると、偏心ピン１５４Ｐは、カップ部材２０の第２のフランジ半部２０Ｆ２の第２の長孔２０ＦＨ２内を中間位置に向けて移動しつつカップ部材２０をヒンジ本体３０から離反する方向に変位するので、このカップ部材２０に取り付けられている可動物体（扉）は、ヒンジ本体３０が取り付けられている固定物体（筐体）に対して離れる方向に位置調節される。
【００４１】
また、図１９（Ｄ）の位置からカム部材１５４を更に時計方向に回動すると、図１９（Ｅ）に示すように、偏心ピン１５４Ｐがカップ部材２０の第２のフランジ半部２０Ｆ２の第２の長孔２０ＦＨ２内を左方に向けて移動しつつカップ部材２０をヒンジ本体３０に近づく方向に変位するので、このカップ部材２０に取り付けられている可動物体（扉）は、ヒンジ本体３０が取り付けられている固定物体（筐体)に接近する方向に位置調節される。
【００４２】
また、図１９（Ｅ）の位置からカム部材１５４を更に時計方向に回動すると、図１９（Ｆ）に示すように、偏心ピン１５４Ｐがカップ部材２０の第２のフランジ半部２０Ｆ２の第２の長孔２０ＦＨ２内を右方に向けて中間位置まで移動しつつカップ部材２０を更にヒンジ本体３０に近づく方向に変位するので、このカップ部材２０に取り付けられている可動物体（扉）は、ヒンジ本体３０が取り付けられている固定物体（筐体)に対して更に近づく方向に位置調節される。
【００４３】
このように、カム部材１５４を回動することによってカップ部材２０を位置調節ホルダー５２に対して前後方向に変位してカップ部材２０に取り付けられている可動物体（扉）を固定物体（筐体）に対して前後に位置調節することができる。なお、図１９では、各位置調節ホルダー５２、１５２とカム部材５４、１５４毎に３つの調節位置を述べたが、これらの位置の適宜の位置に設定することができることはもちろんである。また、同様に、図示していないが、ヒンジ本体３０に対してカップ部材２０が位置調節された後、適宜の手段でカップ部材２０を位置調節ホルダー１５２に固定する。
【００４４】
本発明の第３の実施の形態による位置調節機能付きカップ埋め込み式ヒンジ装置１０が図２１に示されている。この実施の形態では、位置調節機構５０は、カム部材５４、１５４を備えることなく、カップ部材２０をアーム部材４０に対して位置変位して固定することができるようにしたことを除いて図１１乃至図１９の第２の実施の形態と同じであり、同じ部分には同じ符号を付している。
【００４５】
この第３の実施の形態では、カム部材５４、１５４は、単なる止めねじ６４、１６４にそれぞれ置き換えられ、Ｕ字形位置調節ホルダー５２にヒンジ本体３０の長手方向に延びる長孔５２Ｈが設けられ、Ｕ字形位置調節ホルダー１５２にヒンジ本体３０の幅方向に平行に延びる長孔１５２Ｈが設けられ、カップ部材２０の第２のフランジ半部２０Ｆ２の両側に止めねじ６４、１６４がねじ込まれるねじ孔２０ＦＴ、２０ＦＴ２が設けられている。
【００４６】
この第３の実施の形態のヒンジ装置１０の位置調節機構５０において、カップ部材２０をヒンジ本体３０に対して接近したり離反したりする位置調節は、止めねじ６４を緩めてカップ部材２０を位置調節ホルダー５２の長孔５２Ｈに沿って進退し、所定位置で止めねじ６４を締め付けて固定して行われ、またカップ部材２０をヒンジ本体３０に対して幅方向に変位する位置調節は、留めねじ１６４を緩めてカップ部材２０を位置調節ホルダー１５２の長孔１５２Ｈに沿って進退し、所定位置で止めねじ１６４を締め付けて固定して行われる。
【産業上の利用可能性】
【００４７】
本発明は、位置調節機構のカム部材は、カップ部材の底部ではなく、カップ部材のフランジに相対する位置に配置されるので、収容物体の閉位置で折畳まれてカップ部材の凹部内に埋め込まれるアーム部材が位置調節機構の部品に干渉することがなく、カップ部材を深くしなくてもアーム部材をカップ部材の内部に確実に埋め込むことができ、従って位置調節機構の設計及び組み立てが容易で高い産業上の利用性を有する。
【符号の説明】
【００４８】
１０  位置調節機能付きカップ埋め込み式ヒンジ装置
２０  カップ部材
２０Ｂ  略矩形状の皿の形態のカップ本体
２０Ｆ  フランジ
２０Ｆ１  第１のフランジ半部
２０Ｆ２  第２のフランジ半部
２０ＦＨ  長孔
２０ＦＨ２  長孔
２０ＦＴ  ねじ孔
２０ＦＴ２  ねじ孔
２０Ｒ  凹部
２０Ｆ２Ｒ  へこみ
２０Ｆ２Ｒ２  へこみ
２２Ｒ、２２Ｌ  ねじ貫通孔
２４  ピン貫通孔
３０  ヒンジ本体
３０ＦＲ、３０ＦＬ  １対のフランジ
３２Ｒ、３２Ｌ  ねじ貫通孔
４０  アーム部材
４２  枢支ピン
４４  ピン貫通孔４４
４６  枢支ピン
５０  位置調節機構
５２  Ｕ字形位置調節ホルダー
５２Ｍ  取付け片
５２ＭＨ  円形孔
５２Ｈ  長孔
５４  カム部材
５４Ｇ  十字溝
５４Ｄ  カム円板
５４Ｐ  偏心ピン
５６  隙間
６４  止めねじ
１５２  第２のＵ字形位置調節ホルダー
１５２Ｍ  取付け片
１５２ＭＨ  円形孔
１５２Ｈ  長孔
１５４  カム部材
１５４Ｇ  十字溝
１５４Ｄ  カム円板
１５４Ｐ  偏心ピン
１５６  隙間
１６４  止めねじ
【図１】
2010261279.tif 000003
【図２】
2010261279.tif 000004
【図３】
2010261279.tif 000005
【図４】
2010261279.tif 000006
【図５】
2010261279.tif 000007
【図６】
2010261279.tif 000008
【図７】
2010261279.tif 000009
【図８】
2010261279.tif 000010
【図９】
2010261279.tif 000011
【図１０】
2010261279.tif 000012
【図１１】
2010261279.tif 000013
【図１２】
2010261279.tif 000014
【図１３】
2010261279.tif 000015
【図１４】
2010261279.tif 000016
【図１５】
2010261279.tif 000017
【図１６】
2010261279.tif 000018
【図１７】
2010261279.tif 000019
【図１８】
2010261279.tif 000020
【図１９】
2010261279.tif 000021
【図２０】
2010261279.tif 000022
【図２１】
2010261279.tif 000023
【図２２】
2010261279.tif 000024